(57)【要約】      （修正有）【課題】非登録ユーザの場合であっても、カラオケ装置で歌唱される予約楽曲に合った広告を決定することで、効果的な広告情報の提供が可能な広告決定装置、広告決定方法を提供する。【解決手段】ステップＳ３０５では、コマンダへログインしているユーザがいるか否かが判定される。コマンダへログインしているユーザがいると判定されなかった場合（ステップＳ３０５：ＮＯ）、ステップＳ３１１が実行される。ステップＳ３１１では、楽曲の属性情報に合った広告の表示処理が実行される。【選択図】図６
2013235106.tif 000002
【特許請求の範囲】
【請求項１】
カラオケ装置と通信可能な広告決定装置であって、
前記カラオケ装置により提供されるサービスへログインしているユーザがいるか否かを判定するログイン判定手段と、
前記ログイン判定手段により、前記カラオケ装置により提供されるサービスにログインしているユーザがいると判定された場合、ログインしているユーザを識別可能なユーザ識別情報と対応付けられたユーザ属性情報を取得する第１取得手段と、
前記第１取得手段により取得されたユーザ属性情報に基づいて、取得したユーザ属性情報に合った広告を決定する第１決定手段と、
前記ログイン判定手段により、前記カラオケ装置により提供されるサービスにログインしているユーザがいると判定されなかった場合、前記カラオケ装置に予約されている楽曲を識別する楽曲識別情報と対応付けられた楽曲属性情報を取得する第２取得手段と、
前記第２取得手段により取得された前記楽曲属性情報に合った広告を決定する第２決定手段と、
を備えることを特徴とする広告決定装置。
【請求項２】
前記第２取得手段は、前記楽曲属性情報として、前記カラオケ装置に予約されている前記楽曲識別情報が示す楽曲が好まれる年齢または年代を識別可能な年情報を取得し、
前記第２決定手段は、前記第２取得手段により取得された前記年情報に基づいて、前記カラオケ装置を利用するユーザの年齢または年代に合った広告を決定することを特徴とする請求項１に記載の広告決定装置。
【請求項３】
前記第２取得手段は、複数の前記楽曲識別情報と、前記複数の前記楽曲識別情報についての前記年情報を取得し、
前記広告決定装置は、
前記第２取得手段により取得された前記複数の楽曲識別情報についての前記年情報に基づいて、取得された前記年情報が、複数の年齢または年代に該当するかを判定する第１判定手段を、さらに備え、
前記第２決定手段は、前記第１判定手段により、複数の年齢または年代に該当すると判定された場合、家族向けの広告を決定することを特徴とする請求項２に記載の広告決定装置。
【請求項４】
前記第２取得手段は、複数の前記楽曲識別情報と、前記複数の前記楽曲識別情報についての前記年情報とを取得し、
前記第２決定手段は、前記第２取得手段により取得された前記複数の楽曲識別情報についての前記年情報に基づいて、取得された前記年情報に適した年齢層向けの広告を決定することを特徴とする請求項２に記載の広告決定装置。
【請求項５】
前記第２取得手段は、前記楽曲属性情報として、前記カラオケ装置に予約されている前記楽曲識別情報が示す楽曲が、男性向けの楽曲または女性向けの楽曲かを識別可能な性別情報を取得し、
前記第２決定手段は、前記第２取得手段により取得された前記性別情報に基づいて、前記カラオケ装置を利用するユーザの性別に合った広告を決定することを特徴とする請求項１に記載の広告決定装置。
【請求項６】
前記第２取得手段は、複数の前記楽曲識別情報と、前記複数の前記楽曲識別情報についての前記性別情報とを取得し、前記広告決定装置は、
前記カラオケ装置により提供されるサービスにログインしているログイン人数を取得する第３取得手段と、
前記第３取得手段により取得されたログイン人数が、所定の人数以上であるかを判定する第２判定手段と、
前記第２取得手段により、取得された複数の前記性別情報が、男性及び女性の両方を示す前記性別情報を含むかを判定する第３判定手段と、をさらに備え、
前記第２決定手段は、前記第２判定手段により、ログイン人数が所定の人数以上であると判定され、且つ、前記第３判定手段により、前記第２取得手段により取得された複数の前記性別情報が、男性及び女性の両方を示す前記性別情報を含むと判定された場合、男女グループ向けの広告を決定することを特徴とする請求項５に記載の広告決定装置。
【請求項７】
前記広告決定装置は、
前記第１決定手段または前記第２決定手段により決定された広告を、前記カラオケ装置が設置された部屋に設置されたディスプレイに表示させる制御手段を、さらに備えることを特徴とする請求項１から請求項６のいずれか一項に記載の広告決定装置。
【請求項８】
カラオケ装置と通信可能な広告決定装置における広告決定方法であって、
前記カラオケ装置により提供されるサービスにログインしているユーザがいるか否かを判定するログイン判定ステップと、
前記ログイン判定ステップにより、前記カラオケ装置により提供されるサービスにログインしているユーザがいると判定された場合、ログインしているユーザを識別可能なユーザ識別情報と対応付けられたユーザ属性情報を取得する第１取得ステップと、
前記第１取得ステップにより取得されたユーザ属性情報に基づいて、取得したユーザ属性情報に合った広告を決定する第１決定ステップと、
前記ログイン判定ステップにより、前記カラオケ装置により提供されるサービスにログインしているユーザがいると判定されなかった場合、前記カラオケ装置に予約されている楽曲を識別する楽曲識別情報と対応付けられた前記楽曲属性情報を取得する第２取得ステップと、
前記第２取得ステップにより取得された前記楽曲属性情報に合った広告を決定する第２決定ステップと、
を含む広告決定方法。
【請求項９】
カラオケ装置により提供されるサービスにログインしているユーザがいるか否かを判定するログイン判定手段と、
前記ログイン判定手段により、前記カラオケ装置により提供されるサービスにログインしているユーザがいると判定された場合、ログインしているユーザを識別可能なユーザ識別情報と対応付けられたユーザ属性情報を取得する第１取得手段と、
前記第１取得手段により取得されたユーザ属性情報に基づいて、取得したユーザ属性情報に合った広告を決定する第１決定手段と、
前記ログイン判定手段により、前記カラオケ装置により提供されるサービスにログインしているユーザがいると判定されなかった場合、前記カラオケ装置に予約されている楽曲を識別する楽曲識別情報と対応付けられた楽曲属性情報を取得する第２取得手段と、
前記第２取得手段により取得された前記楽曲属性情報に合った広告を決定する第２決定手段と、
を備えることを特徴とするカラオケ装置。
【発明の詳細な説明】
【技術分野】
【０００１】
本発明は、カラオケに関する。具体的には、カラオケ装置を用いて広告を配信する広告決定装置に関する。
【背景技術】
【０００２】
従来、カラオケ装置を利用するユーザに対して、広告を表示するシステムがある。特許文献１には、カラオケ装置を利用するユーザに対して、それぞれの歌唱履歴情報に応じた広告情報を各ユーザに提供する歌唱情報処理システムが開示されている。この歌唱情報処理システムは、たとえば、ユーザが、歌唱情報処理システムの登録ユーザであるとき、登録ユーザの歌唱履歴情報に応じた広告情報を再生する。一方、歌唱情報処理システムに登録されていない非登録ユーザであるときには、登録ユーザのログイン及びログアウト時間を参照して、非登録ユーザの歌唱履歴を決定する。そして、決定された非登録ユーザの歌唱履歴に基づいて、広告情報が決定される。
【先行技術文献】
【特許文献】
【０００３】
【特許文献１】特開２０１２−２７１２６号公報
【発明の開示】
【発明が解決しようとする課題】
【０００４】
特許文献１に記載の歌唱情報処理システムでは、カラオケ装置を利用するユーザに対して、登録ユーザまたは非登録ユーザの歌唱履歴情報に応じた広告情報が提供される。しかしながら、引用文献１では、１人でも登録ユーザがいないと、非登録ユーザの歌唱履歴を決定することができない。このため、カラオケ装置にログインしている登録ユーザがいない場合に、広告情報を決定することができなかった。
【０００５】
本発明は、上述した問題点を解決するためになされたものである。本発明は、非登録ユーザの場合であっても、カラオケ装置で歌唱される予約楽曲に合った広告を決定することで、効果的な広告情報の提供が可能な広告決定装置、広告決定方法を提供することを目的とする。
【課題を解決するための手段】
【０００６】
請求項１に記載の発明によれば、カラオケ装置と通信可能な広告決定装置であって、前記カラオケ装置により提供されるサービスにログインしているユーザがいるか否かを判定するログイン判定手段と、前記ログイン判定手段により、前記カラオケ装置により提供されるサービスにログインしているユーザがいると判定された場合、ログインしているユーザを識別可能なユーザ識別情報と対応付けられたユーザ属性情報を取得する第１取得手段と、前記第１取得手段により取得されたユーザ属性情報に基づいて、取得したユーザ属性情報に合った広告を決定する第１決定手段と、前記ログイン判定手段により、前記カラオケ装置により提供されるサービスにログインしているユーザがいると判定されなかった場合、前記カラオケ装置に予約されている楽曲を識別する楽曲識別情報と対応付けられた楽曲属性情報を取得する第２取得手段と、前記第２取得手段により取得された前記楽曲属性情報に合った広告を決定する第２決定手段と、を備えることを特徴とする広告決定装置である。
【０００７】
請求項２に記載の発明によれば前記第２取得手段は、前記楽曲属性情報として、前記カラオケ装置に予約されている前記楽曲識別情報が示す楽曲が好まれる年齢または年代を識別可能な年情報を取得し、前記第２決定手段は、前記第２取得手段により取得された前記年情報に基づいて、前記カラオケ装置を利用するユーザの年齢または年代に合った広告を決定することを特徴とする。
【０００８】
請求項３に記載の発明によれば、前記第２取得手段は、複数の前記楽曲識別情報と、前記複数の前記楽曲識別情報についての前記年情報を取得し、前記広告決定装置は、前記第２取得手段により取得された前記複数の楽曲識別情報についての前記年情報に基づいて、取得された前記年情報が、複数の年齢または年代に該当するかを判定する第１判定手段を、さらに備え、前記第２決定手段は、前記第１判定手段により、複数の年齢または年代に該当すると判定された場合、家族向けの広告を決定することを特徴とする。
【０００９】
請求項４に記載の発明によれば、前記第２取得手段は、複数の前記楽曲識別情報と、前記複数の前記楽曲識別情報についての前記年情報とを取得し、前記第２決定手段は、前記第２取得手段により取得された前記複数の楽曲識別情報についての前記年情報に基づいて、取得された前記年情報に適した年齢層向けの広告を決定することを特徴とする。
【００１０】
請求項５に記載の発明によれば、前記第２取得手段は、前記楽曲属性情報として、前記カラオケ装置に予約されている前記楽曲識別情報が示す楽曲が、男性向けの楽曲または女性向けの楽曲かを識別可能な性別情報を取得し、前記第２決定手段は、前記第２取得手段により取得された前記性別情報に基づいて、前記カラオケ装置を利用するユーザの性別に合った広告を決定することを特徴とする。
【００１１】
請求項６に記載の発明によれば、前記第２取得手段は、複数の前記楽曲識別情報と、前記複数の前記楽曲識別情報についての前記性別情報とを取得し、前記広告決定装置は、前記カラオケ装置により提供されるサービスにログインしているログイン人数を取得する第３取得手段と、前記第３取得手段により取得されたログイン人数が、所定の人数以上であるかを判定する第２判定手段と、前記第２取得手段により、取得された複数の前記性別情報が、男性及び女性の両方を示す前記性別情報を含むかを判定する第３判定手段と、をさらに備え、前記第２決定手段は、前記第２判定手段により、ログイン人数が所定の人数以上であると判定され、且つ、前記第３判定手段により、前記第２取得手段により取得された複数の前記性別情報が、男性及び女性の両方を示す前記性別情報を含むと判定された場合、男女グループ向けの広告を決定することを特徴とする。
【００１２】
請求項７に記載の発明によれば、前記広告決定装置は、前記第１決定手段または前記第２決定手段により決定された広告を、前記カラオケ装置が設置された部屋に設置されたディスプレイに表示させる制御手段を、さらに備えることを特徴とする。
【００１３】
請求項８に記載の発明によれば、カラオケ装置と通信可能な広告決定装置における広告決定方法であって、前記カラオケ装置により提供されるサービスにログインしているユーザがいるか否かを判定するログイン判定ステップと、前記ログイン判定ステップにより、前記カラオケ装置により提供されるサービスにログインしているユーザがいると判定された場合、ログインしているユーザを識別可能なユーザ識別情報と対応付けられたユーザ属性情報を取得する第１取得ステップと、前記第１取得ステップにより取得されたユーザ属性情報に基づいて、取得したユーザ属性情報に合った広告を決定する第１決定ステップと、前記ログイン判定ステップにより、前記カラオケ装置により提供されるサービスにログインしているユーザがいると判定されなかった場合、前記カラオケ装置に予約されている楽曲を識別する楽曲識別情報と対応付けられた前記楽曲属性情報を取得する第２取得ステップと、前記第２取得ステップにより取得された前記楽曲属性情報に合った広告を決定する第２決定ステップと、を含む広告決定方法である。
【００１４】
請求項９に記載の発明によれば、カラオケ装置により提供されるサービスにログインしているユーザがいるか否かを判定するログイン判定手段と、前記ログイン判定手段により、前記カラオケ装置により提供されるサービスにログインしているユーザがいると判定された場合、ログインしているユーザを識別可能なユーザ識別情報と対応付けられたユーザ属性情報を取得する第１取得手段と、前記第１取得手段により取得されたユーザ属性情報に基づいて、取得したユーザ属性情報に合った広告を決定する第１決定手段と、前記ログイン判定手段により、前記カラオケ装置により提供されるサービスにログインしているユーザがいると判定されなかった場合、前記カラオケ装置に予約されている楽曲を識別する楽曲識別情報と対応付けられた楽曲属性情報を取得する第２取得手段と、前記第２取得手段により取得された前記楽曲属性情報に合った広告を決定する第２決定手段と、を備えることを特徴とするカラオケ装置である。
【発明の効果】
【００１５】
請求項１に記載の発明によれば、第２取得手段は、ログイン判定手段により、カラオケ装置により提供されるサービスにログインしているユーザがいると判定されなかった場合、カラオケ装置に予約されている楽曲を識別する楽曲識別情報と対応付けられた楽曲属性情報を取得する。第２決定手段は、第２取得手段により取得された楽曲属性情報に合った広告を決定する。この結果、ログインユーザでない場合であっても、カラオケ装置で歌唱される予約楽曲に合った広告を決定することで、効果的な広告情報の提供が可能となる。
【００１６】
請求項２に記載の発明によれば、第２取得手段は、楽曲属性情報として、カラオケ装置に予約されている楽曲識別情報が示す楽曲が好まれる年齢または年代を識別可能な年情報を取得する。第２決定手段は、第２取得手段により取得された年情報に基づいて、カラオケ装置を利用するユーザの年齢または年代に合った広告を決定する。この結果、ログインユーザでない場合であっても、カラオケ装置で歌唱される予約楽曲の年齢または年代に基づいて、カラオケ装置を利用するユーザの年齢または年代に合った広告を決定することで、効果的な広告情報の提供が可能となる。
【００１７】
請求項３に記載の発明によれば、第２取得手段は、複数の楽曲識別情報と、複数の楽曲識別情報についての年情報を取得する。広告決定装置は、第２取得手段により取得された複数の楽曲識別情報についての年情報に基づいて、取得された年情報が、複数の年齢または年代に該当するかを判定する第１判定手段を、さらに備える。第２決定手段は、第１判定手段により、複数の年齢または年代に該当すると判定された場合、家族向けの広告を決定する。この結果、ログインユーザでない場合であっても、カラオケ装置で歌唱される予約楽曲の年齢または年代に基づいて、家族向けの広告を決定することで、効果的な広告情報の提供が可能となる。
【００１８】
請求項４に記載の発明によれば、第２決定手段は、第２取得手段により取得された複数の楽曲識別情報についての年情報に基づいて、取得された年情報に適した年齢層向けの広告を決定する。この結果、ログインユーザでない場合であっても、カラオケ装置で歌唱される予約楽曲の年齢または年代に基づいて、年層に適した広告を決定することで、効果的な広告情報の提供が可能となる。
【００１９】
請求項５に記載の発明によれば、第２取得手段は、楽曲属性情報として、カラオケ装置に予約されている楽曲識別情報が示す楽曲が、男性向けの楽曲または女性向けの楽曲かを識別可能な性別情報を取得する。第２決定手段は、第２取得手段により取得された性別情報に基づいて、カラオケ装置を利用するユーザの性別に合った広告を決定する。この結果、ログインユーザでない場合であっても、カラオケ装置で歌唱される予約楽曲の性別に基づいて、カラオケ装置を利用する男性向け、または、女性向けの広告を決定することで、効果的な広告情報の提供が可能となる。
【００２０】
請求項６に記載の発明によれば、第２決定手段は、第２判定手段により、ログイン人数が所定の人数以上であると判定され、且つ、第３判定手段により、第２取得手段により取得された複数の性別情報が、男性及び女性の両方を示す性別情報を含むと判定された場合、男女グループ向けの広告を決定する。この結果、ログインユーザでない場合であっても、カラオケ装置で歌唱される予約楽曲の性別に基づいて、カラオケ装置を利用する男女グループ向けの広告を決定することで、効果的な広告情報の提供が可能となる。
【００２１】
請求項７に記載の発明によれば、広告決定装置は、第１決定手段または第２決定手段により決定された広告を、カラオケ装置が設置された部屋に設置されたディスプレイに表示させる制御手段を、さらに備える。この結果、カラオケ装置が設置された部屋に設置されたディスプレイにより、広告を閲覧することができる。
【００２２】
請求項８に記載の発明によれば、第２取得ステップは、ログイン判定ステップにより、カラオケ装置により提供されるサービスにログインしているユーザがいると判定されなかった場合、カラオケ装置に予約されている楽曲を識別する楽曲識別情報と対応付けられた楽曲属性情報を取得する。第２決定ステップは、第２取得ステップにより取得された楽曲属性情報に合った広告を決定する。この結果、ログインユーザでない場合であっても、カラオケ装置で歌唱される予約楽曲に合った広告を決定することで、効果的な広告情報の提供が可能となる。
【００２３】
請求項９に記載の発明によれば、第２取得手段は、ログイン判定手段により、カラオケ装置により提供されるサービスにログインしているユーザがいると判定されなかった場合、カラオケ装置に予約されている楽曲を識別する楽曲識別情報と対応付けられた楽曲属性情報を取得する。第２決定手段は、第２取得手段により取得された楽曲属性情報に合った広告を決定する。この結果、ログインユーザでない場合であっても、カラオケ装置で歌唱される予約楽曲に合った広告を決定することで、効果的な広告情報の提供が可能となる。
【図面の簡単な説明】
【００２４】
【図１】本実施形態のカラオケシステムＳの概要図である。
【図２】本実施形態のカラオケシステムＳのリモコン１、コマンダ２、センターサーバ４、及び、広告決定サーバ５の電気的構成の概念図である。
【図３】図３（ａ）は、リモコン１を用いて楽曲の予約を行う際の表示画面である。図３（ｂ）は、本実施形態のリモコン１のディスプレイ１４に予約リストが表示される状態を示す説明図である。図３（ｃ）は、広告コンテンツと、属性情報とが対応付けられて、広告コンテンツ記憶領域４３１に記憶される記憶状態を示す概念図である。
【図４】本実施形態のリモコン１のメイン動作を示すフローチャートである。
【図５】本実施形態のコマンダ２のメイン動作を示すフローチャートである。
【図６】本実施形態の広告決定サーバ５のメイン動作を示すフローチャートである。
【図７】本実施形態のログイン有無混合時の広告表示処理を示すフローチャートである。
【図８】本実施形態の楽曲の属性情報に合った広告の表示処理を示すフローチャートである。
【図９】本実施形態のグループ判定処理を示すフローチャートである。
【発明を実施するための最良の形態】
【００２５】
［最良の実施形態］
以下、図面に沿って、本発明を適用した最良の実施形態について説明する。
【００２６】
［１．カラオケシステムの構成及び動作の概要］
始めに、図１を参照して、本実施形態のカラオケシステムの構成の概要について説明する。図１は、本実施形態のカラオケシステムＳの構成を表す図である。なお、図１は、カラオケ店舗ＫＳの中に設置された複数のカラオケルームの中で、カラオケルームＫＲの１室を例に示す。図１の例では、カラオケルームＫＲに、リモコン１と、コマンダ２と、広告決定サーバ５と、ディスプレイ５４とが夫々１台ずつ設置されている。なお、カラオケルームＫＲに、リモコン１は複数台設置されても良い。一般的にカラオケ店舗ＫＳには、複数のカラオケルームＫＲが設定されている。なお、本実施形態のコマンダ２は、本発明のカラオケ装置の一例である。
【００２７】
図１に示すように、カラオケシステムＳは、リモコン１と、コマンダ２と、センターサーバ４と、広告決定サーバ５とを含んで構成される。リモコン１は、カラオケ曲の選曲または検索に用いられる選曲装置である。リモコン１は、カラオケ店舗ＫＳに備えられたアクセスポイントＡＰ及びブロードバンドルータＢＲを介して、無線通信によりネットワークに接続される。これにより、リモコン１は、ネットワークを介してコマンダ２または広告決定サーバ５と通信が可能になる。また、広告決定サーバ５は、ブロードバンドルータＢＲを介してセンターサーバ４と通信が可能になる。リモコン１は、赤外線によりコマンダ２へ、カラオケ曲の予約を依頼する。リモコン１には、リモコンＩＤが付与されている。リモコンＩＤは、リモコン１を識別するための識別情報である。リモコンＩＤは、リモコン１を一意に特定できる情報であれば、どのような情報であってもよいが、例えばリモコン１に割り当てられたＩＰアドレスがリモコンＩＤとされても良い。
【００２８】
コマンダ２は、リモコン１により依頼された予約に基づいて、カラオケ曲の再生処理を行う。コマンダには、夫々コマンダＩＤが付与される。コマンダＩＤは、コマンダを夫々識別するための情報である。コマンダＩＤは、コマンダ２を一意に特定できる情報であれば、どのような情報であってもよいが、例えばコマンダ２に割り当てられたＩＰアドレスがコマンダＩＤとされる。
【００２９】
本実施形態では、リモコン１の代わりに、ユーザが個人で所有する携帯端末装置から、カラオケ曲の予約を、コマンダへ依頼することが可能である。ユーザが夫々所有する携帯端末装置を用いて、コマンダ２へカラオケ曲の予約を依頼することができる。この場合、携帯端末装置は、携帯基地局Ｃを介してネットワークへ接続可能になっている。
【００３０】
広告決定サーバ５には、ディスプレイ５４が接続される。ディスプレイ５４は、センターサーバ４から送信される広告を表示する。なお、本実施形態の広告決定サーバ５は、本発明の広告決定装置の一例である。
【００３１】
[２．カラオケシステムＳの電気的構成]
図２は、カラオケシステムＳの電気的構成を示すブロック図である。以下、図２を用いて、リモコン１、コマンダ２、センターサーバ４、広告決定サーバ５の電気的構成を順に説明する。
【００３２】
（リモコン１の構成）
リモコン１は、制御部１１と、赤外線送信部１２と、メモリ１３と、ディスプレイ１４と、操作部１５と、操作処理部１６と、ビデオＲＡＭ１７と、映像制御部１８と、無線ＬＡＮ通信部１９とを備える。制御部１１は、リモコン１の動作を制御する。赤外線送信部１２は、後述するコマンダ２の赤外線受信部２５と通信することにより、リモコン１からの指示を、コマンダ２へ送信する。メモリ１３は、ログイン情報記憶領域１３１と、アクティブ情報記憶領域１３２とを備える。ログイン情報記憶領域１３１は、ユーザがリモコン１を用いてカラオケシステムＳへログインした情報を記憶する。具体的には、カラオケシステムＳにおけるユーザのユーザ識別情報と、ユーザ識別情報に紐付けられているユーザ属性情報などが、ログイン情報記憶領域１３１に記憶される。アクティブ情報記憶領域１３２は、リモコン１のアクティブユーザを示すユーザ識別情報を記憶する。アクティブユーザは、リモコン１を操作しているユーザを示す。図３を用いて、リモコン１のログイン処理、及び、アクティブユーザについて説明する。図３（ａ）は、リモコン１を用いて楽曲の予約を行う際の表示画面である。本実施形態では、図３（ａ）に示すように、リモコン１のディスプレイ１４には、リモコン１を用いてログインされたユーザ画像Ａ１、Ａ２及びＡ３が表示される。本実施形態では、リモコン１によるログイン処理が完了すると、リモコン１のディスプレイ１４には、ログインしたユーザが、例えば、アバターを用いて、ユーザ画像Ａ１、Ａ２及びＡ３として表示される。
【００３３】
また、本実施形態では、さらに、リモコン１へログインしたユーザの中から、リモコン１を利用しているユーザが識別可能になっている。本実施形態では、リモコン１へログインしたユーザの中から、リモコン１を利用しているユーザを、以下、「アクティブユーザ」と呼ぶ。図３（ａ）の例では、ユーザ画像Ａ１の周辺に枠が表示されている。この枠に囲まれたユーザ画像Ａ１が示すユーザが、アクティブユーザとなる。本実施形態のリモコン１のディスプレイ１４は、タッチパネルである。このため、ユーザ画像Ａ１〜Ａ３のいずれかが、接触されることで、接触されたユーザ画像と対応するユーザへ、アクティブユーザを切り替えることが可能である。切り替えられたアクティブユーザに対応するユーザ識別情報が、アクティブ情報記憶領域１３２へ記憶される。アクティブユーザが切り替えられるたびに、アクティブ情報記憶領域１３２は更新される。
【００３４】
また、本実施形態では、リモコン１へログインしていないユーザであっても予約可能なように、ゲストユーザの設定が可能である。図３（ａ）では、ユーザ画像Ａ４がゲストユーザを示す。このため、ユーザ画像Ａ４が、接触されることで、ゲストユーザへ、アクティブユーザを切り替えることが可能である。ゲストユーザに切り替えられた場合、ゲストユーザを示す識別情報が、アクティブ情報記憶領域１３２へ記憶される。ゲストユーザへ切り替えられるたびに、アクティブ情報記憶領域１３２は更新される。このように、各ユーザ、及びゲストユーザが切り替えられるたびに、アクティブ情報記憶領域１３２に記憶されるユーザ識別情報が更新される。
【００３５】
図３（ｂ）は、本実施形態のリモコン１のディスプレイ１４に予約リストが表示される状態を示す説明図である。図３（ｂ）は、予約リストが表示される表示態様を示す説明図である。図３（ｂ）に示すように、楽曲を識別可能な楽曲識別情報として「ちりぬるを」、「いろは」、「ひほへと」と、その楽曲を予約したユーザとが対応付けられている。例えば、楽曲識別情報「ちりぬるを」には、ユーザ画像Ａ２が対応付けられている。これは、楽曲識別情報「ちりぬるを」は、ユーザ画像Ａ２が示すユーザにより予約されたことを示している。また、楽曲識別情報「いろは」には、ゲストユーザを示す画像が対応付けられている。これは、楽曲識別情報「いろは」は、ゲストユーザにより予約されたことを示している。
【００３６】
ディスプレイ１４には、ユーザがログインおよびカラオケ曲の予約をするために、ログイン画面および楽曲選択画面などが表示される。操作部１５は、ディスプレイ１４に表示される情報に従って、ユーザがコマンダ２へログイン情報およびカラオケ曲の情報を送信するとき、ユーザにより操作される。操作部１５により操作された情報は、操作制御部１６により制御部１１に送信される。ビデオＲＡＭ１７は、ディスプレイ１４に表示させる情報を記憶する。映像制御部１８は、制御部１１による制御に従って、ディスプレイ１４に表示させる情報を送信する。無線ＬＡＮ通信部１９は、制御部１１による制御に従って、メモリ１３に記憶されている情報を、アクセスポイントＡＰへ送信し、アクセスポイントＡＰから情報を受信する。
【００３７】
（コマンダ２の構成）
コマンダ２は、制御部２１と、ＬＡＮインタフェース部２２と、記憶部２３と、操作部２４と、赤外線受信部２５と、操作処理部２６と、シンセサイザ２７と、マイク制御部２８と、スピーカ２９と、ミキシングアンプ３０と、ビデオＲＡＭ３１と、映像再生部３２と、映像制御部３３と、映像受信部３４と、ディスプレイ３５、カメラ３６とを備える。制御部２１は、コマンダ２の動作を制御する。制御部２１は、例えば、後述する予約リストに従って予約されたカラオケ曲を再生させる指示を行う。ＬＡＮインタフェース部２２は、ネットワークに接続し、制御部２１からの情報を、ネットワークに接続される他の端末であるリモコン１と、センターサーバ４と、広告決定サーバ５とに送信する。また、ネットワークに接続される他の端末からの情報を受信する。
【００３８】
記憶部２３は、ログイン情報記憶領域２３１と、予約リスト記憶領域２３２と、グループ判定情報記憶領域２３３と、人数情報記憶領域２３４とを備える。ログイン情報記憶領域２３１は、リモコン１を用いてログインしたユーザのログイン情報が記憶される。予約リスト記憶領域２３２は、リモコン１を用いてユーザにより予約されたカラオケ曲の情報を予約リストとして記憶する。具体的には、予約リストには、予約したユーザを示すユーザ識別情報と、予約された楽曲を識別可能な楽曲識別情報とが対応付けられて登録される。グループ判定情報記憶領域２３３は、コマンダ２を利用しているユーザのグループ形態を示すグループ判定情報を記憶する。人数情報記憶領域２３４は、コマンダ２へログインしているユーザの人数を示す人数情報を記憶する。
【００３９】
操作部２４により、ユーザは、リモコン１と同様に、カラオケ曲を予約することができる。赤外線受信部２５は、リモコン１の赤外線送信部１２から、情報を受信する。操作処理部２６は、操作部２４および赤外線受信部２５からの情報を、操作指示として、制御部２１に送信する。シンセサイザ２７は、制御部２１による制御に従って、カラオケ曲の音を発生させる指示をミキシングアンプ３０へ行う。マイク制御部２８は、図示外のマイクを用いてユーザにより入力される音を発生させる指示をミキシングアンプ３０へ行う。スピーカ２９およびミキシングアンプ３０は、シンセサイザ２７およびマイク制御部２８から受信する指示に従って、音を発生させる。ビデオＲＡＭ３１と、映像再生部３２と、映像制御部３３と、映像受信部３４とにより、制御部２１による制御に従って、ディスプレイ３５に映像を表示させる。また、映像制御部３３は、制御部２１による制御に従って、カメラ３６が取得した映像を、ディスプレイ３５に表示させる。
【００４０】
（センターサーバ４の構成）
センターサーバ４は、ＬＡＮインタフェース部４１と、制御部４２と、記憶部４３とを備える。ＬＡＮインタフェース部４１は、ネットワークに接続し、ブロードバンドルータＢＲを介して他の端末であるリモコン１と、コマンダ２と、広告決定サーバ５とに接続される。制御部４２は、センターサーバ４の動作を制御する。記憶部４３は、広告コンテンツ記憶領域４３１と、ユーザ情報記憶領域４３２とを備える。
【００４１】
広告コンテンツ記憶領域４３１は、カラオケシステムＳを利用してディスプレイ５４に表示させる多数の広告コンテンツと、広告コンテンツの属性を示す広告属性情報とを対応付けて記憶する。図３（ｃ）は、広告コンテンツと、広告属性情報とが対応付けられて、広告コンテンツ記憶領域４３１に記憶される記憶状態を示す概念図である。図３（ｃ）に示すように、各広告コンテンツと対応付けられる広告属性情報として、年齢層、性別、及び、グループ属性とが、広告コンテンツ記憶領域４３１に記憶される。図３（ｃ）の例では、広告コンテンツ「広告１」に、年齢層「２０代」、性別「女」、及び、グループ属性「家族」が対応付けられている。このように、本実施形態では、各広告コンテンツに、広告属性情報として、年齢層、性別、及び、グループ属性が対応付けられる。ユーザ情報記憶領域４３２は、カラオケシステムＳを利用するユーザ情報を記憶する。具体的には、ユーザ情報記憶領域４３２は、ユーザ識別情報と、ユーザの属性を示すユーザ属性情報とを対応付けて、ユーザ情報として記憶する。本実施形態では、ユーザ属性情報は、例えば、ユーザの年齢、または、ユーザの年代、または、ユーザの性別、または、ユーザの居住地等を示す情報である。なお、グループ属性として、「家族」、「若年層グループ」、「高年層グループ」、「若年層男女グループ」、「カップル」等が設定可能である。
【００４２】
また、センターサーバ４は、カラオケ店舗ＫＳに設置されたコマンダ２とリモコン１とのくくり付け情報を、記憶部４３の所定の記憶領域に記憶しても良い。また、センターサーバ４は、カラオケ店舗ＫＳに設置されたコマンダと携帯端末装置とのくくり付け情報を記憶しても良い。くくり付け情報は、コマンダ２と通信可能なリモコンまたは携帯端末との対応関係を示す情報である。センターサーバ４は、くくり付け情報に基づいて、リモコン１から送信された予約依頼を、リモコン１とくくり付けられたコマンダ２へ送信する。また、センターサーバ４は、くくり付け情報に基づいて、携帯端末装置から送信された予約依頼を、携帯端末装置とくくり付けられたコマンダ２へ送信しても良い。
【００４３】
（広告決定サーバ５の構成）
広告決定サーバ５は、ＬＡＮインタフェース部５１と、制御部５２と、記憶部５３と、ビデオＲＡＭ５７と、映像制御部５８とを備える。ＬＡＮインタフェース部５１は、ネットワークに接続するためのインタフェースである。制御部５２は、広告決定サーバ５の動作を制御する。記憶部５３は、広告コンテンツ記憶領域５３１と、グループ判定情報記憶領域５３２と、予約リスト記憶領域５３３と、再生順序リスト記憶領域５３４とを備える。
【００４４】
広告コンテンツ記憶領域５３１は、カラオケシステムＳを利用してディスプレイ５４に表示させる１以上の広告コンテンツと、広告コンテンツの属性を示す広告属性情報とを対応付けて記憶する。グループ判定情報記憶領域５３２は、グループ判定情報を記憶する。予約リスト記憶領域５３３は、リモコン１により予約されるカラオケ曲の予約リストを記憶する。再生順序リスト記憶領域５３４は、広告コンテンツ記憶領域５３１に記憶される広告コンテンツが再生される順序を示す広告コンテンツの再生順序リストが記憶される。具体的には、再生順序リストは、再生される広告コンテンツを識別する識別情報と、広告コンテンツが再生されるタイミングを示すタイミング情報とを対応付けて記憶する。タイミング情報は、広告コンテンツが再生される順序を示す情報である。ビデオＲＡＭ５７と、映像制御部５８とにより、制御部５２による制御に従って、ディスプレイ５４に映像を表示させる。ビデオＲＡＭ５７は、ディスプレイ５４に表示させる映像を一時記憶する。映像制御部５８は、ディスプレイ５４に、広告コンテンツに従った映像を表示させる。
【００４５】
［３．リモコン１の動作］
以上説明した構成からなる本実施形態のリモコン１の動作及び作用について、添付図面を参照して説明する。まず、リモコン１の動作及び作用について、添付図面を参照して説明する。図４は、リモコン１におけるメイン動作の処理手順を示すフローチャートである。なお、リモコン１にメイン動作を実行させるプログラムは、メモリ１３の所定の記憶領域に記憶されている。リモコン１のメイン動作は、例えば、リモコン１の電源がオンにされたことにより、遂行される。以下に示す処理は、制御部１１により実行される。
【００４６】
ステップＳ１０１では、コマンダ２へのログインが要求されたか否かが判定される。コマンダ２へのログインが要求されたと判定された場合（ステップＳ１０１：ＹＥＳ）、ステップＳ１０２が実行される。コマンダ２へのログインが要求されたと判定されなかった場合（ステップＳ１０１：ＮＯ）、ステップＳ１０４が実行される。
【００４７】
ステップＳ１０２では、コマンダ２またはセンターサーバ４へ向けて、ログイン要求が送信される。そして、ログイン要求を受信したコマンダ２またはセンターサーバ４は、ログイン処理を実行し、ログインを許可するか、または、拒否するかを判断する。ログインの許可、または、ログインの拒否が、リモコン１へ向けて送信される。
【００４８】
ステップＳ１０３では、ログインの許可、または、ログインの拒否が受信される。受信した結果、ログインが許可された場合、許可されたユーザ識別情報が、ログイン情報記憶領域１３１に記憶される。また、許可されたユーザ識別情報のユーザ属性情報が、ログイン情報記憶領域１３１に記憶されても良い。
【００４９】
ステップＳ１０４では、カラオケの楽曲の予約が、要求されたか否かが判定される。楽曲の予約が要求されたと判定された場合（ステップＳ１０４：ＹＥＳ）、ステップＳ１０５が実行される。楽曲の予約が要求されたと判定されなかった場合（ステップＳ１０４：ＮＯ）、ステップＳ１０８が実行される。
【００５０】
ステップＳ１０５では、ステップＳ１０４で要求された予約が、ログインユーザからの予約であるか否かが判定される。具体的には、ステップＳ１０４で要求されたときに、アクティブ情報記憶領域１３２に記憶されているユーザ識別情報が確認される。アクティブ情報記憶領域１３２に記憶されているユーザ識別情報が、ログインユーザを示す場合、ステップＳ１０４で要求された予約が、ログインユーザからの予約であると判定される。一方、アクティブ情報記憶領域１３２に記憶されているユーザ識別情報が、ゲストユーザを示す場合、ステップＳ１０４で要求された予約が、ログインユーザからの予約でないと判定される。ステップＳ１０４で要求された予約が、ログインユーザからの予約であると判定された場合（ステップＳ１０５：ＹＥＳ）、ステップＳ１０６が実行される。ステップＳ１０４で要求された予約が、ログインユーザからの予約でないと判定された場合（ステップＳ１０５：ＮＯ）、ステップＳ１０７が実行される。
【００５１】
ステップＳ１０６では、ログインユーザとして、アクティブ情報記憶領域１３２に記憶されたユーザ識別情報と、予約された楽曲識別情報とが、コマンダ２へ送信される。
【００５２】
ステップＳ１０７では、ゲストユーザとして、アクティブ情報記憶領域１３２に記憶されたユーザ識別情報と、予約された楽曲識別情報とが、コマンダ２へ送信される。
【００５３】
ステップＳ１０８では、リモコン１の電源がオフにされたか否かが判定される。リモコン１の電源がオフにされたと判定された場合（ステップＳ１０８：ＹＥＳ）、リモコン１のメイン動作は終了される。リモコン１の電源がオフにされたと判定されなかった場合（ステップＳ１０８：ＮＯ）、ステップＳ１０１が実行される。
【００５４】
［４．コマンダ２の動作］
以上説明した構成からなる本実施形態のコマンダ２の動作及び作用について、添付図面を参照して説明する。まず、コマンダ２の動作及び作用について、添付図面を参照して説明する。図５は、コマンダ２におけるメイン動作の処理手順を示すフローチャートである。なお、コマンダ２にメイン動作を実行させるプログラムは、記憶部２３の所定の記憶領域に記憶されている。コマンダ２のメイン動作は、例えば、コマンダ２の電源がオンにされたことにより、遂行される。以下に示す処理は、制御部２１により実行される。
【００５５】
ステップＳ２０１では、センターサーバ４から送信された人数情報が受信されたか否かが判定される。人数情報が受信されたと判定された場合（ステップＳ２０１：ＹＥＳ）、ステップＳ２０２が実行される。人数情報が受信されたと判定されなかった場合（ステップＳ２０１：ＮＯ）、ステップＳ２０３が実行される。
【００５６】
ステップＳ２０２では、ステップＳ２０１で受信された人数情報が、人数情報記憶領域２３４に記憶されて、更新される。
【００５７】
ステップＳ２０３では、リモコン１のステップＳ１０６またはステップＳ１０７で送信された予約要求が受信されたか否かが判定される。予約要求が受信されたと判定された場合（ステップＳ２０３：ＹＥＳ）、ステップＳ２０４が実行される。予約要求が受信されたと判定されなかった場合（ステップＳ２０３：ＮＯ）、ステップＳ２０７が実行される。
【００５８】
ステップＳ２０４では、ステップＳ２０３で受信された予約要求に含まれる楽曲識別情報に関する楽曲属性情報が、センターサーバ４へ向けて要求される。なお、楽曲属性情報は、楽曲識別情報と対応付けられて、センターサーバ４の記憶部４３の所定の記憶領域に記憶されている。楽曲属性情報は、楽曲識別情報が示す楽曲の属性を示す情報である。楽曲属性情報は、例えば、上述した広告属性情報と同じにように、楽曲が好まれる年齢、または、年代、または、性別、または、グループ属性等である。
【００５９】
ステップＳ２０５では、ステップＳ２０４で要求された楽曲属性情報が、センターサーバ４から取得される。
【００６０】
ステップＳ２０６では、ステップＳ２０５で取得された楽曲属性情報と、楽曲識別情報と、楽曲を予約したログインユーザまたはゲストユーザを識別するユーザ識別情報とが対応付けられて、予約リスト記憶領域２３２に記憶される。
【００６１】
ステップＳ２０７では、広告決定サーバ５から、ログインユーザのユーザ情報の送信要求が受信されたか否かが判定される。ログインユーザのユーザ情報の送信要求が受信されたと判定された場合（ステップＳ２０７：ＹＥＳ）、ステップＳ２０８が実行される。ログインユーザのユーザ情報の送信要求が受信されたと判定されなかった場合（ステップＳ２０７：ＮＯ）、ステップＳ２０９が実行される。
【００６２】
ステップＳ２０８では、ログイン情報記憶領域２３１に記憶されたユーザ情報が、広告決定サーバ５へ送信される。
【００６３】
ステップＳ２０９では、広告決定サーバ５から送信された予約リストの送信要求が受信されたか否かが判定される。広告決定サーバ５から送信された予約リストの送信要求が受信されたと判定された場合（ステップＳ２０９：ＹＥＳ）、ステップＳ２１０が実行される。広告決定サーバ５から送信された予約リストの送信要求が受信されたと判定されなかった場合（ステップＳ２０９：ＮＯ）、ステップＳ２１１が実行される。
【００６４】
ステップＳ２１０では、予約リスト記憶領域２３２に記憶された予約リストと、現在再生中の楽曲を示す楽曲識別情報とが、広告決定サーバ５へ送信される。
【００６５】
ステップＳ２１１では、広告決定サーバ５から送信されたグループ判定情報の登録要求が受信されたか否かが判定される。グループ判定情報の登録要求が受信されたと判定された場合（ステップＳ２１１：ＹＥＳ）、ステップＳ２１２が実行される。グループ判定情報の登録要求が受信されたと判定されなかった場合（ステップＳ２１１：ＮＯ）、ステップＳ２１３が実行される。
【００６６】
ステップＳ２１２では、広告決定サーバ５から送信されたグループ判定情報が、グループ判定情報記憶領域２３３へ記憶される。
【００６７】
ステップＳ２１３では、広告決定サーバ５から送信されたグループ判定情報の送信要求が受信されたか否かが判定される。グループ判定情報の送信要求が受信されたと判定された場合（ステップＳ２１３：ＹＥＳ）、ステップＳ２１４が実行される。グループ判定情報の送信要求が受信されたと判定されなかった場合（ステップＳ２１３：ＮＯ）、ステップＳ２１５が実行される。
【００６８】
ステップＳ２１４では、グループ判定情報記憶領域２３３に記憶されたグループ判定情報が、広告決定サーバ５へ送信される。
【００６９】
ステップＳ２１５では、コマンダ２の電源がオフにされたか否かが判定される。コマンダ２の電源がオフにされたと判定された場合（ステップＳ２１５：ＹＥＳ）、コマンダ２のメイン動作は終了される。コマンダ２の電源がオフにされたと判定されなかった場合（ステップＳ２１５：ＮＯ）、ステップＳ２０１が実行される。
【００７０】
［５．広告決定サーバ５の動作］
以上説明した構成からなる本実施形態の広告決定サーバ５の動作及び作用について、添付図面を参照して説明する。まず、広告決定サーバ５の動作及び作用について、添付図面を参照して説明する。図６は、広告決定サーバ５におけるメイン動作の処理手順を示すフローチャートである。なお、広告決定サーバ５にメイン動作を実行させるプログラムは、記憶部５３の所定の記憶領域に記憶されている。広告決定サーバ５のメイン動作は、広告決定サーバ５の電源がオンにされたことにより、遂行される。以下に示す処理は、制御部５２により実行される。
【００７１】
ステップＳ３０１では、センターサーバ４から、再生順序リストが取得される。取得された再生順序リストが、再生順序リスト記憶領域５３４に記憶される。
【００７２】
ステップＳ３０２では、コマンダ２からグループ判定情報が取得される。取得されたグループ判定情報は、グループ判定情報記憶領域５３２に記憶される。
【００７３】
ステップＳ３０３では、広告コンテンツの更新があったか否かが判定される。具体的には、ステップＳ３０１で取得した再生順序リストの中に、広告決定サーバ５が記憶していない広告コンテンツがあるか否かが判定される。ステップＳ３０１で取得した再生順序リストの中に、広告決定サーバ５が記憶していない広告コンテンツがあると判定された場合、広告コンテンツの更新がありと判定される。ステップＳ３０１で取得した再生順序リストの中に、広告決定サーバ５が記憶していない広告コンテンツがあると判定されなかった場合、広告コンテンツの更新が無いと判定される。広告コンテンツの更新があったと判定された場合（ステップＳ３０３：ＹＥＳ）、ステップＳ３０４が実行される。広告コンテンツの更新があったと判定されなかった場合（ステップＳ３０３：ＮＯ）、ステップ３０５が実行される。
【００７４】
ステップＳ３０４では、ステップＳ３０３で更新があると判定された広告コンテンツと、取得する広告コンテンツの広告属性情報とが、センターサーバ４から取得される。取得された広告コンテンツと、広告属性情報とは、対応付けられて広告コンテンツ記憶領域５３１に記憶される。
【００７５】
ステップＳ３０５では、コマンダ２へログインしているユーザがいるか否かが判定される。具体的には、センターサーバ４、または、広告決定サーバ５が通信可能なコマンダ２へユーザがログインしているかが問い合わされる。コマンダ２へ問い合わせる場合、コマンダ２は、コマンダ２のログイン情報記憶領域２３１に記憶されたログイン情報に基づいて、ログインしているユーザがいるかについて、返答する。一方、センターサーバ４へ問い合わせる場合、コマンダ２は、コマンダ２のログイン情報記憶領域２３１に記憶されたログイン情報をセンターサーバ４へ送信する。そして、センターサーバ４は、コマンダ２から送信されたログイン情報に基づいて、ログインしているユーザがいるかについて、返答する。問い合わせた結果、コマンダ２へログインしているユーザがいると判定された場合（ステップＳ３０５：ＹＥＳ）、ステップＳ３０６が実行される。問い合わせた結果、コマンダ２へログインしているユーザがいると判定されなかった場合（ステップＳ３０５：ＮＯ）、ステップＳ３１１が実行される。なお、本実施形態の広告決定サーバ５の制御部５２と、ステップＳ３０５とは、本発明のログイン判定手段の一例である。また、本実施形態のステップＳ３０５は、本発明のログイン判定ステップの一例である。
【００７６】
ステップＳ３０６では、コマンダ２へログインしているユーザ情報が取得される。センターサーバ４のユーザ情報記憶領域４３２に記憶されたユーザ情報の中から、コマンダ２へログインしているユーザ識別情報と対応するユーザ情報が取得される。なお、カラオケ装置へログインしているユーザ識別情報は、コマンダ２のログイン情報記憶領域２３１、または、リモコン装置１のログイン情報記憶領域１３１に記憶される。なお、本実施形態の広告決定サーバ５の制御部５２と、ステップＳ３０６とは、本発明の第１取得手段の一例である。また、本実施形態のステップＳ３０６は、本発明の第１取得ステップの一例である。
【００７７】
ステップＳ３０７では、コマンダ２から予約リストが取得される。取得された予約リストは、予約リスト記憶領域５３３に記憶される。具体的には、コマンダ２のステップＳ２１０において送信された予約リストと、現在再生中の楽曲識別情報とが取得される。
【００７８】
ステップＳ３０８では、コマンダ２でカラオケの楽曲が再生されているか否かが判定される。広告決定サーバ５は、ステップＳ３０７を実行することで、コマンダ２で再生されているカラオケの楽曲の楽曲識別情報を取得することができる。ステップＳ３０７で、再生中の楽曲識別情報が取得された場合、カラオケの楽曲が再生されていると判定される。一方、ステップＳ３０７で、再生中の楽曲識別情報が取得されなかった場合、カラオケの楽曲が再生されていないと判定される。カラオケの楽曲が再生されていると判定された場合（ステップＳ３０８：ＹＥＳ）、ステップＳ３０９が実行される。カラオケの楽曲が再生されていると判定されなかった場合（ステップＳ３０８：ＮＯ）、ステップＳ３１０が実行される。
【００７９】
ステップＳ３０９では、再生中のカラオケの楽曲を予約したユーザ情報が取得される。具体的には、ステップＳ３０７において受信された予約リストと再生中の楽曲識別情報とが取得される。そして、再生中の楽曲識別情報が取得されて、再生中の楽曲識別情報と対応付けられたユーザ識別情報が、予約リスト記憶領域５３３に記憶された予約リストの中から決定される。決定されたユーザ識別情報に対応するユーザ情報が、ステップＳ３０６で取得したログインユーザ情報の中から取得される。
【００８０】
ステップＳ３１０では、ログイン有無混合時の広告表示処理が実行される。なお、ログイン有無混合時の広告表示処理の詳細は、図７を参照して後述する。
【００８１】
ステップＳ３１１では、楽曲の属性情報に合った広告の表示処理が実行される。なお、楽曲の属性情報に合った広告の表示処理の詳細は、図８を参照して後述する。
【００８２】
ステップＳ３１２では、広告決定サーバ５の電源がオフにされたか否かが判定される。広告決定サーバ５の電源がオフにされたと判定された場合（ステップＳ３１２：ＹＥＳ）、広告決定サーバ５のメイン動作は終了される。広告決定サーバ５の電源がオフにされたと判定されなかった場合（ステップＳ３１２：ＮＯ）、ステップＳ３０１が実行される。
【００８３】
［６．ログイン有無混合時の広告表示処理］
以上説明した構成からなる本実施形態のログイン有無混合時の広告の表示処理について、図７を参照して説明する。
【００８４】
ステップＳ４０１では、予約リスト記憶領域５３３に記憶された予約リストの中に、ログインユーザを示すユーザ識別情報と、ゲストユーザを示すユーザ識別情報とが混在しているか否かが判定される。具体的には、予約リストの中に、ログインユーザを示すユーザ識別情報と、ゲストユーザを示すユーザ識別情報とがそれぞれ少なくとも１つ登録されているか否かが判定される。ログインユーザを示すユーザ識別情報と、ゲストユーザを示すユーザ識別情報とがそれぞれ少なくとも１つ登録されている場合、ログインユーザとゲストユーザとが混在していると判定される。ログインユーザを示すユーザ識別情報と、ゲストユーザを示すユーザ識別情報とがそれぞれ少なくとも１つ登録されていない場合、ログインユーザとゲストユーザとが混在していないと判定される。ログインユーザとゲストユーザとが混在していると判定された場合（ステップＳ４０１：ＹＥＳ）、ステップＳ４０３が実行される。ログインユーザとゲストユーザとが混在していると判定されなかった場合（ステップＳ４０１：ＮＯ）、ステップＳ４０２が実行される。
【００８５】
ステップＳ４０２では、未再生のカラオケの楽曲を予約したユーザに合った広告の表示が決定される。具体的には、ステップＳ３０９で取得したユーザ情報と異なるユーザにより予約されている楽曲が、予約リストの中にあるか否かが判定される。ステップＳ３０９で取得したユーザ情報と異なるユーザにより予約されている楽曲があると判定された場合、ステップＳ３０９で取得したユーザ情報と異なるユーザのユーザ属性情報に合った広告が決定される。そして、決定された広告がディスプレイ５４に表示される。具体的には、決定されたユーザ属性情報と合致する広告属性情報が、広告コンテンツ記憶領域５３１の中から決定される。合致すると決定された広告属性情報と対応付けられた広告コンテンツが、ディスプレイ５４に表示される広告コンテンツとして決定される。また、カラオケ装置２にログインしているユーザがいない場合、つまり、ゲストユーザのみの場合は、ユーザ属性が取得できないため、広告コンテンツは決定されない。
【００８６】
ステップＳ４０３では、再生中のカラオケの楽曲は、ログインユーザにより予約された楽曲であるか否かが判定される。具体的には、ステップＳ３０９で取得したユーザ情報が、ログインユーザであるか否かが判定される。ステップＳ３０９で取得したユーザ情報が、ログインユーザであると判定された場合、再生中のカラオケの楽曲は、ログインユーザにより予約されたと判定される。一方、ステップＳ３０９で取得したユーザ情報が、ログインユーザであると判定されなかった場合、再生中のカラオケの楽曲は、ログインユーザにより予約されていないと判定される。再生中のカラオケの楽曲は、ログインユーザにより予約された楽曲であると判定された場合（ステップＳ４０３：ＹＥＳ）、ステップＳ４０４が実行される。再生中のカラオケの楽曲は、ログインユーザにより予約された楽曲であると判定されなかった場合（ステップＳ４０３：ＮＯ）、ステップＳ４０５が実行される。
【００８７】
ステップＳ４０４では、楽曲の属性情報に合った広告の表示処理が実行される。なお、楽曲の属性情報に合った広告の表示処理の詳細は、図８を参照して後述する。
【００８８】
ステップＳ４０５では、ログインユーザに合った広告が表示される。具体的には、ステップＳ３０６で取得されたユーザ情報に含まれるユーザ属性情報と合致する広告属性情報が、広告コンテンツ記憶領域５３１の中から決定される。合致すると決定された広告属性情報と対応付けられた広告コンテンツが、ディスプレイ３４に表示される広告コンテンツとして決定される。そして、決定された広告がディスプレイ５４により表示される。なお、本実施形態の広告決定サーバ５の制御部５２と、ステップＳ４０５とは、本発明の第１決定手段の一例である。また、本実施形態のステップＳ４０５は、本発明の第１決定ステップの一例である。また、本実施形態の広告決定サーバ５の制御部５２と、ステップＳ４０５とは、本発明の制御手段の一例である。
【００８９】
［７．楽曲の属性情報に合った広告の表示処理］
以上説明した構成からなる本実施形態の楽曲の属性情報に合った広告の表示処理について、図８を参照して説明する。
【００９０】
ステップＳ５０１では、予約リスト記憶領域５３３に記憶された予約リストの楽曲の楽曲属性情報が、センターサーバ４から取得される。また、コマンダ２の人数情報記憶領域２３４に記憶された人数情報が、コマンダ２またはセンターサーバ４から取得される。なお、本実施形態の広告決定サーバ５の制御部５２と、ステップＳ５０１とは、本発明の第２取得手段、及び、第３取得手段の一例である。また、ステップＳ５０１は、本発明の第２取得ステップの一例である。
【００９１】
ステップＳ５０２では、再生順序リスト記憶領域５３４に記憶された再生順序リストに基づいて、広告の切り替えタイミングが来たか否かが判定される。広告の切り替えタイミングが来たか否かは、再生順序リストが含むタイミング情報に基づいて決定される。広告の切り替えタイミングが来たと判定された場合（ステップＳ５０２：ＹＥＳ）、ステップＳ５０３が実行される。広告の切り替えタイミングが来たと判定されなかった場合（ステップＳ５０２：ＮＯ）、ステップＳ５０８が実行される。
【００９２】
ステップＳ５０３では、グループ判定処理が実行される。グループ判定処理の詳細は、図９を用いて後述する。
【００９３】
ステップＳ５０４では、ステップＳ５０３により決定されたグループ判定情報がコマンダ２へ送信される。
【００９４】
ステップＳ５０５では、ステップＳ５０３で決定されたグループ判定情報に合致した広告が決定される。まず、後述する図９の処理により決定されたグループ判定情報が、グループ判定情報記憶領域５３２から読み出される。読み出されたグループ判定情報と合致する広告属性情報が、広告コンテンツ記憶領域５３１の中から決定される。合致すると決定された広告属性情報と対応付けられた広告コンテンツが、ディスプレイ５４に表示される広告コンテンツとして決定される。そして、決定された広告がディスプレイ５４により表示される。具体的には、グループ判定情報記憶領域５３２にグループ判定情報「家族」が記憶されていた場合、図３（ｃ）に示す広告属性情報の中のグループ属性が「家族」である「広告１」が決定される。一方、グループ判定情報記憶領域５３２に記憶されるグループ判定情報と合致するグループ属性が、広告コンテンツ記憶領域５３１に記憶されていない場合、該当する広告コンテンツは無いと決定される。なお、本実施形態の広告決定サーバ５の制御部５２と、ステップＳ５０５とは、本発明の第２決定手段の一例である。なお、本実施形態のステップＳ５０５は、本発明の第２決定ステップの一例である。
【００９５】
ステップＳ５０６では、ステップＳ５０５において、グループ判定情報と合致する広告コンテンツがあったか否かが判定される。グループ判定情報と合致する広告コンテンツがあったと判定された場合（ステップＳ５０６：ＹＥＳ）、ステップＳ５０７が実行される。グループ判定情報と合致する広告コンテンツがあったと判定されなかった場合（ステップＳ５０６：ＮＯ）、ステップＳ５０８が実行される。
【００９６】
ステップＳ５０７では、ステップＳ５０５でグループ判定情報と合致すると判定されたグループ属性を備える広告コンテンツが、ディスプレイ５４により表示される。なお、本実施形態の広告決定サーバ５の制御部５２と、ステップＳ５０７とは、本発明の制御手段の一例である。
【００９７】
ステップＳ５０８では、再生順序リスト記憶領域５３４に記憶された再生順序リストに従って、ディスプレイ５４に表示される広告コンテンツが決定される。そして、決定された広告コンテンツが、ディスプレイ５４により表示される。
【００９８】
［８．グループ判定処理］
以上説明した構成からなる本実施形態のグループ判定処理について、図９を参照して説明する。
【００９９】
ステップＳ６０１では、予約リスト記憶領域５３３に記憶された予約リストの中に、３曲以上予約されているか否かが判定される。本実施形態のステップＳ６０１の代わりに、予約リスト記憶領域５３３に記憶された予約リストの中に、所定数の曲以上予約されているか否かが判定されても良い。予約リスト記憶領域５３３に記憶された予約リストの中に、３曲以上予約されていると判定された場合（ステップＳ６０１：ＹＥＳ）、ステップＳ６０２が実行される。予約リスト記憶領域５３３に記憶された予約リストの中に、３曲以上予約されていると判定されなかった場合（ステップＳ６０１：ＮＯ）、ステップＳ６１３が実行される。
【０１００】
ステップＳ６０２では、予約された楽曲の中に、５０歳以上向けの楽曲があるか否かが判定される。具体的には、ステップＳ５０１で取得された楽曲属性情報に基づいて、予約された楽曲の中に、５０歳以上向けの楽曲があるか否かが判定される。５０歳以上向けの楽曲があると判定された場合（ステップＳ６０２：ＹＥＳ）、ステップＳ６０３が実行される。５０歳以上向けの楽曲があると判定されなかった場合（ステップＳ６０２：ＮＯ）、ステップＳ６０６が実行される。
【０１０１】
ステップＳ６０３では、予約された楽曲の中に、３０歳以上、５０歳未満向けの楽曲があるか否かが判定される。具体的には、ステップＳ５０１で取得された楽曲属性情報に基づいて、予約された楽曲の中に、３０歳以上、５０歳未満向けの楽曲があるか否かが判定される。３０歳以上、５０歳未満向けの楽曲があると判定された場合（ステップＳ６０３：ＹＥＳ）、ステップＳ６０４が実行される。３０歳以上、５０歳未満向けの楽曲があると判定されなかった場合（ステップＳ６０３：ＮＯ）、ステップＳ６１７が実行される。
【０１０２】
ステップＳ６０４では、予約された楽曲の中に、３０歳未満向けの楽曲があるか否かが判定される。具体的には、ステップＳ５０１で取得された楽曲属性情報に基づいて、予約された楽曲の中に、３０歳未満向けの楽曲があるか否かが判定される。３０歳未満向けの楽曲があると判定された場合（ステップＳ６０４：ＹＥＳ）、ステップＳ６０５が実行される。３０歳未満向けの楽曲があると判定されなかった場合（ステップＳ６０４：ＮＯ）、ステップＳ６１７が実行される。なお、本実施形態の広告決定サーバ５の制御部５２と、ステップＳ６０２、ステップＳ６０３、及びステップＳ６０４は、本発明の第１判定手段の一例である。
【０１０３】
ステップＳ６０５では、グループ判定情報が「家族」に設定される。設定されたグループ判定情報は、グループ判定情報記憶領域５３２に記憶される。
【０１０４】
ステップＳ６０６では、予約された楽曲の中に、２０歳以上、５０歳未満向けの楽曲があるか否かが判定される。具体的には、ステップＳ５０１で取得された楽曲属性情報に基づいて、予約された楽曲の中に、２０歳以上、５０歳未満向けの楽曲があるか否かが判定される。２０歳以上、５０歳未満向けの楽曲があると判定された場合（ステップＳ６０６：ＹＥＳ）、ステップＳ６１７が実行される。２０歳以上、５０歳未満向けの楽曲があると判定されなかった場合（ステップＳ６０６：ＮＯ）、ステップＳ６０７が実行される。
【０１０５】
ステップＳ６０７では、予約された楽曲の中に、２０歳未満向けの楽曲があるか否かが判定される。具体的には、ステップＳ５０１で取得された楽曲属性情報に基づいて、予約された楽曲の中に、２０歳未満向けの楽曲があるか否かが判定される。２０歳未満向けの楽曲があると判定された場合（ステップＳ６０７：ＹＥＳ）、ステップＳ６０８が実行される。２０歳未満向けの楽曲があると判定されなかった場合（ステップＳ６０７：ＮＯ）、ステップＳ６１７が実行される。
【０１０６】
ステップＳ６０８では、グループ判定情報が「若年層グループ」に設定される。設定されたグループ判定情報は、グループ判定情報記憶領域５３２に記憶される。
【０１０７】
ステップＳ６０９では、予約された楽曲の中に、男性向けの楽曲と、女性向けの楽曲との両方があるか否かが判定される。具体的には、ステップＳ５０１で取得された楽曲属性情報に基づいて、予約された楽曲の中に、男性向けの楽曲と、女性向けの楽曲との両方があるか否かが判定される。男性向けの楽曲と、女性向けの楽曲との両方があると判定された場合（ステップＳ６０９：ＹＥＳ）、ステップＳ６１０が実行される。男性向けの楽曲と、女性向けの楽曲との両方があると判定されなかった場合（ステップＳ６０９：ＮＯ）、ステップＳ６１３が実行される。なお、本実施形態の広告決定サーバ５の制御部５２と、ステップＳ６０９とは、本発明の第３判定手段の一例である。
【０１０８】
ステップＳ６１０では、グループ判定情報が「若年層男女グループ」に設定される。設定されたグループ判定情報は、グループ判定情報記憶領域５３２に記憶される。
【０１０９】
ステップＳ６１１では、人数情報が取得できたか否かが判定される。具体的には、ステップＳ６１１では、コマンダ２またはセンターサーバ４に向けて、人数情報が要求される。要求された結果、人数情報が取得されたか否かが判定される。人数情報が取得できたと判定された場合（ステップＳ６１１：ＹＥＳ）、ステップＳ６１２が実行される。人数情報が取得できたと判定されなかった場合（ステップＳ６１１：ＮＯ）、ステップＳ６１３が実行される。
【０１１０】
ステップＳ６１２では、ステップＳ６１１で取得された人数情報が、「２人」を示すか否かが判定される。ステップＳ６１１で取得された人数情報が、「２人」を示すと判定された場合（ステップＳ６１２：ＹＥＳ）、ステップＳ６１４が実行される。ステップＳ６１１で取得された人数情報が、「２人」を示すと判定されなかった場合（ステップＳ６１２：ＮＯ）、ステップＳ６１５が実行される。
【０１１１】
ステップＳ６１３では、グループ判定情報が「グループなし」に設定される。設定されたグループ判定情報は、グループ判定情報記憶領域５３２に記憶される。
【０１１２】
ステップＳ６１４では、グループ判定情報が「カップル」に設定される。設定されたグループ判定情報は、グループ判定情報記憶領域５３２に記憶される。
【０１１３】
ステップＳ６１５では、ステップＳ６１１で取得された人数情報が、「３人」以上を示すか否かが判定される。ステップＳ６１１で取得された人数情報が、「３人」以上を示すと判定された場合（ステップＳ６１５：ＹＥＳ）、ステップＳ６１６が実行される。ステップＳ６１１で取得された人数情報が、「３人」以上を示すと判定されなかった場合（ステップＳ６１５：ＮＯ）、ステップＳ６１７が実行される。なお、本実施形態の広告決定サーバ５の制御部５２と、ステップＳ６１５とは、本発明の第２判定手段の一例である。
【０１１４】
ステップＳ６１６では、グループ判定情報が「若年層男女グループ」に設定される。設定されたグループ判定情報は、グループ判定情報記憶領域５３２に記憶される。
【０１１５】
ステップＳ６１７では、グループ判定情報が「グループなし」に設定される。設定されたグループ判定情報は、グループ判定情報記憶領域５３２に記憶される。
【０１１６】
なお、本実施形態では、本発明の広告決定装置として、広告決定サーバ５が用いられる例を挙げて説明した。本実施形態の変形例として、コマンダ２に、広告決定サーバの機能が備えられてもよい。この場合、図６〜図９の処理は、コマンダ２の制御部２１により実行される。
【０１１７】
また、本実施形態の図９のステップＳ６０７では、予約された楽曲の中に、２０歳未満向けの楽曲があるか否かが判定されていた。ステップＳ６０７として、予約された楽曲の中に、５０歳以上向けの楽曲があるか否かが判定されても良い。この場合、予約された楽曲の中に、５０歳以上向けの楽曲があると判定された場合（ステップＳ６０７：ＹＥＳ）、ステップＳ６０８として、グループ判定情報が「高年層グループ」に設定される。設定されたグループ判定情報は、グループ判定情報記憶領域５３２に記憶される。その後、ステップＳ６０９において、男性向けの楽曲と、女性向けの楽曲との両方があると判定された場合（ステップＳ６０９：ＹＥＳ）、ステップＳ６１０として、グループ判定情報が「高年層男女グループ」に設定されても良い。設定されたグループ判定情報は、グループ判定情報記憶領域５３２に記憶される。同様に、ステップＳ６１６においても、グループ判定情報が「高年層男女グループ」に設定されて、設定されたグループ判定情報は、グループ判定情報記憶領域５３２に記憶されても良い。
【０１１８】
また、上述した「高年層グループ」及び「高年層男女グループ」を判定する処理と、「若年層グループ」及び「若年層男女グループ」を判定する処理の両方とが、図９のフローチャートで実行されても良い。  また、「高年層男女グループ」を判定する処理、または、「若年層男女グループ」を判定する処理は、予め決められた優先度に応じて、実行するか否かが決定されても良い。
【０１１９】
また、図９に示すステップＳ６１１、ステップＳ６１２、ステップＳ６１４、ステップＳ６１５、及び、ステップＳ６１６の処理は、予め決められた優先度に応じて、実行するか否かが決定されても良い。優先度が高く設定されていた場合、図９に示すステップＳ６１１、ステップＳ６１２、ステップＳ６１４、ステップＳ６１５、及び、ステップＳ６１６の処理は、実行される。一方、優先度が低く設定されていた場合、図９に示すステップＳ６１１、ステップＳ６１２、ステップＳ６１４、ステップＳ６１５、及び、ステップＳ６１６の処理は実行されなくても良い。
【０１２０】
また、本実施形態では、カラオケ装置２へログインしたか否かが判定されていたが、これに限定されるものではない。例えば、カラオケ装置２により提供されるサービスにログインしているか否かが判定されても良い。なお、ログイン処理は、リモコン１により実行されても良いし、カラオケ装置２により実行されても良い。また、リモコン１またはカラオケ装置２を用いて、ユーザ識別情報等が入力されて、ログイン処理が、センターサーバ４により実行されても良い。また、リモコン１及びカラオケ装置２により構成されるカラオケシステムへログインしたか否かが判定されても良い。また、図９に示すフローチャートの判定処理に用いられる年齢の値は、それぞれ任意の値が設定可能である。また、図９に示すフローチャートの判定処理に用いられる人数については、それぞれ任意の値が設定可能である。
【符号の説明】
【０１２１】
２  コマンダ
５  広告決定サーバ
５２  制御部
５３  記憶部
５３１  広告コンテンツ記憶領域
５３２  グループ判定情報記憶領域
５３３  予約リスト記憶領域
５３４  再生順序リスト記憶領域
【図１】
2013235106.tif 000003
【図２】
2013235106.tif 000004
【図３】
2013235106.tif 000005
【図４】
2013235106.tif 000006
【図５】
2013235106.tif 000007
【図６】
2013235106.tif 000008
【図７】
2013235106.tif 000009
【図８】
2013235106.tif 000010
【図９】
2013235106.tif 000011